(57)【要約】【課題】電池に異常発熱が生じた場合であっても、セパレータの熱収縮あるいは破断による正極板と負極板の短絡を防止することを目的とする。【解決手段】方形状の正極板２と、方形状の負極板３とをセパレータを介して積層した積層型電極体１０を備えた角型リチウムイオン電池２０において、正極板２が袋状セパレータ１３の内部に配置され、袋状セパレータ１３の接合されていない辺における正極板２の端部から突出する袋状セパレータ１３の幅が、袋状セパレータ１３の接合された辺における正極板２の端部から突出する袋状セパレータ１３の幅よりも大きく、袋状セパレータ１３における接合されていない辺に垂直な方向の熱収縮率が、袋状セパレータ１３における接合されていない辺に平行な方向の熱収縮率よりも大きいことを特徴とする。【選択図】図４
2012033399.tif 000002
【特許請求の範囲】
【請求項１】
正極集電タブを有する方形状の正極板と、負極集電タブを有する方形状の負極板とをセパレータを介して積層した積層型電極体を備えた角型二次電池において、
前記正極板又は負極板が袋状セパレータの内部に配置され、前記袋状セパレータは、重ね合わされた２枚の方形状のセパレータの周縁の３辺を接合して袋状に加工され、あるいは折り返し重ね合わされた１枚のセパレータの折り返し部を除く周縁の２辺を接合して袋状に加工され、
前記袋状セパレータの接合されていない辺における前記袋状セパレータの内部に配置された電極板の端部から突出する前記袋状セパレータの幅が、前記袋状セパレータの接合された辺における前記袋状セパレータの内部に配置された電極板の端部から突出する前記袋状セパレータの幅よりも大きく、
前記袋状セパレータにおける接合されていない辺に垂直な方向の前記袋状セパレータの熱収縮率が、前記袋状セパレータにおける接合されていない辺に平行な方向の前記袋状セパレータの熱収縮率よりも大きいことを特徴とする角型二次電池。
【請求項２】
前記袋状セパレータの内部に配置された電極板の集電タブが、前記袋状セパレータの接合されていない辺から突出し、前記積層型電極体の一方の端部から前記袋状セパレータの内部に配置された電極板の集電タブが積層された状態で突出していることを特徴とする請求項１に記載の角形二次電池。
【請求項３】
前記積層型電極体の一方の端部から、前記正極集電タブ及び負極集電タブがそれぞれ積層された状態で突出していることを特徴とする請求項２に記載の角形二次電池。
【請求項４】
前記袋状セパレータにおける接合されていない辺に垂直な方向の１００℃、２．５時間保存での前記袋状セパレータの熱収縮率が４％〜１０％であり、前記袋状セパレータにおける接合されていない辺に平行な方向の１００℃、２．５時間保存での前記袋状セパレータの熱収縮率が１％〜３％であることを特徴とする請求項１〜３のいずれかに記載の角型二次電池。
【請求項５】
前記袋状セパレータの接合されていない辺において、前記袋状セパレータの内部に配置される電極板の端部から突出する前記袋状セパレータの幅が、前記袋状セパレータにおける接合されていない辺と垂直な方向の前記袋状セパレータの長さの３％以上長いことを特徴とする請求項１〜４のいずれかに記載の角型二次電池。  
【請求項６】
前記正極板が、前記袋状セパレータの内部に配置されることを特徴とする請求項１〜５のいずれかに記載の角型二次電池。
【発明の詳細な説明】
【技術分野】
【０００１】
本発明は、正極板と負極板とをセパレータを介して積層した積層型電極体を備えた
リチウムイオン電池等の角形二次電池に関する。
【背景技術】
【０００２】
近年、電池は、携帯電話、ノートパソコン、ＰＤＡ等の移動情報端末の電源のみならず、ロボット、電気自動車、バックアップ電源などに使用されるようになってきており、さらなる高容量化が要求されるようになってきている。このような要求に対し、リチウムイオン電池は、高いエネルギー密度を有し、高容量であることから、上記のような駆動電源として広く利用されている。
【０００３】
このようなリチウムイオン電池の形態としては、大別して、渦巻状の電極体を有底円筒状の外装体に封入した円筒形のものと、複数の方形状電極板を積層した積層型電極体を有底角筒状の外装体、あるいはラミネート外装体に封入した角形のものとがある。
【０００４】
ロボット、電気自動車、バックアップ電源などの大電力用途では、複数の単電池が直列及び/又は並列に接続された組電池として使用される。この場合、限られたスペースでの高出力化が求められるため、円筒形電池よりもエネルギー密度に優れた角形電池が使用されることが多い。
【０００５】
ところで、角形電池に用いられる積層型電極体を正極板と負極板とをシート状のセパレータを介して積層して作製した場合、積層ずれが生じやすくなる。そして、積層ずれが生じると、電極板端部へのリチウム析出によるサイクル特性の低下や、正極板と負極板とが接触することによる電池内でのショートが生じやすくなるという問題があった。
【０００６】
そこで、図７に示すように、重ね合わせた２枚のセパレータの周縁の４辺に融着部３４aを形成することにより、２枚のセパレータを袋状とし、その袋状セパレータ中で正極板３５を位置決めするような提案がなされている（下記特許文献１参照）。このような構成であれば、正負極板が直接接触することが抑制され、電池内でのショートの発生をある程度抑えることができるとされている。
【０００７】
しかしながら、通常、セパレータの材質はポリエチレンやポリプロピレン等のポリオレフィンであるため、熱融着により袋状にセパレータを加工すると、セパレータに波打ちや反りが起こりやすくなる。このようにセパレータの波打ちや反りが生じると、正極板と負極板との積層ずれが生じるため、精度よく積層型電極体を作製することができず、サイクル特性の向上等を図れないという課題があった。
【０００８】
このようなことを考慮して、図８に示すように２枚のセパレータの周縁部に融着部４４を形成して袋状とする場合に、周縁の３辺のみを融着し、これらセパレータ周縁部に非融着部を残しつつ部分的に融着を行うような提案がなされている（下記特許文献２参照）。
【０００９】
また、図９に示すように、セパレータを介して対向する正極板と負極板の位置決めを正確に行うために、袋状セパレータの開口部５３の両端に位置する角部のうち少なくとも１つに角形形状の切除部６１が形成することが提案されている（下記特許文献３参照）。
【先行技術文献】
【特許文献】
【００１０】
【特許文献１】特開平７−３０２６１６号公報
【特許文献２】特開２００８−９１１００号公報
【特許文献３】特開２００９−１２３５８２号公報
【発明の概要】
【発明が解決しようとする課題】
【００１１】
上記特許文献１のように、重ね合わせた２枚のセパレータの周縁の４辺全てを接合した袋状セパレータを用いた場合、電池の異常発熱によりセパレータが熱収縮したとき、セパレータは自由に収縮することができない。そのため、セパレータが熱収縮すると、袋状セパレータの接合部付近が袋状セパレータの内部に配置された電極板のエッジに接触することによりセパレータが破断する虞があった。
【００１２】
また、上記特許文献２及び３のように重ね合わせた２枚のセパレータの周縁の３辺を接合した袋状セパレータを用いた場合、電池に異常発熱が生じたとき、袋状セパレータにおける共に接合された向かい合う周縁の２辺に垂直な方向にセパレータが熱収縮すると、セパレータが自由に収縮できないため、セパレータが破断する虞があった。また、袋状セパレータにおける接合されていない辺と垂直な方向にセパレータが熱収縮すると、袋状セパレータにおける接合されていない辺から電極板が露出し、正極板と負極板が接触する可能性があった。
【００１３】
本発明は、上記の課題を解決することを目的とし、電池に異常発熱が生じた場合であっても、セパレータの熱収縮、あるいはセパレータの破断による正極板と負極板の短絡が防止された角形二次電池を提供することを目的とする。
【課題を解決するための手段】
【００１４】
上記目的を達成するために、本発明の角形二次電池は、正極集電タブを有する方形状の正極板と、負極集電タブを有する方形状の負極板とをセパレータを介して積層した積層型電極体を備えた角型二次電池において、前記正極板又は負極板が袋状セパレータの内部に配置され、前記袋状セパレータは、重ね合わされた２枚の方形状のセパレータの周縁の３辺を接合して袋状に加工され、あるいは折り返し重ね合わされた１枚のセパレータの折り返し部を除く周縁の２辺を接合して袋状に加工され、前記袋状セパレータの接合されていない辺における前記袋状セパレータの内部に配置された電極板の端部から突出する前記袋状セパレータの幅が、前記袋状セパレータの接合された辺における前記袋状セパレータの内部に配置された電極板の端部から突出する前記袋状セパレータの幅よりも大きく、前記袋状セパレータにおける接合されていない辺に垂直な方向の前記袋状セパレータの熱収縮率が、前記袋状セパレータにおける接合されていない辺に平行な方向の前記袋状セパレータの熱収縮率よりも大きいことを特徴とする。ここで、袋状セパレータの熱収縮率は、１００℃で２．５時間保存した場合の熱収縮率である。
【００１５】
本発明の角形二次電池では、電池が異常発熱した場合、袋状セパレータにおいて共に接合された向かい合う周縁の２辺に垂直な方向に袋状セパレータが熱収縮することが少なく、セパレータが破断することを防止できる。また、袋状セパレータは接合されていない辺に垂直な方向に大きく熱収縮するが、袋状セパレータの接合されていない辺における袋状セパレータの内部に配置された電極板の端部から突出する袋状セパレータの幅を大きく設定しているため、袋状セパレータが熱収縮しても内部に配置された電極体が露出することが無く、対向する電極板と短絡することを防止できる。
【００１６】
また、袋状セパレータの接合された辺における袋状セパレータの内部に配置された電極板の端部から突出する袋状セパレータの幅を小さく設定することができるため、電池の体積エネルギー密度を低下させることがない。
【００１７】
本発明の角形二次電池においては、前記袋状セパレータの内部に配置された電極板の集電タブが、前記袋状セパレータの接合されていない辺から突出し、前記積層型電極体の一方の端部から、前記袋状セパレータの内部に配置された電極板の集電タブが積層された状態で突出していることが好ましい。
【００１８】
積層された集電タブと電極端子を接続するため、電池外装体内の集電タブ近傍には余分なスペースが存在する。したがって、袋状セパレータの接合されていない辺から袋状セパレータの内部に配置された電極板の集電タブを突出させ、この集電タブを積層型電極体の一方の端部側において積層するようにすると、袋状セパレータにおける接合されていない辺の電極板から突出する部分を大きく設定しても、このスペースを有効に活用することができる。よって、電池の体積エネルギー密度を低下させることなく、電池の異常発熱時のセパレータの熱収縮、あるいはセパレータの破断による正極板と負極板の短絡が防止できる。
【００１９】
本発明の角形二次電池において、前記積層型電極体の一方の端部から、前記正極集電タブ及び負極集電タブがそれぞれ積層された状態で突出していることが好ましい。
【００２０】
積層型電極体の一方の端部から、前記正極集電タブ及び負極集電タブがそれぞれ積層された状態で突出していることにより、電池の体積エネルギー密度をより高くすることが可能となる。
【００２１】
本発明の角形二次電池においては、前記袋状セパレータにおける接合されていない辺に垂直な方向の１００℃、２．５時間保存での前記袋状セパレータの熱収縮率が４％〜１０％であり、前記袋状セパレータにおける接合されていない辺に平行な方向の１００℃、２．５時間保存での前記袋状セパレータの熱収縮率が１％〜３％であることが好ましい。
【００２２】
これにより、電池の異常発熱時のセパレータの熱収縮、あるいはセパレータの破断による正極板と負極板の短絡がより確実に防止できる。
【００２３】
本発明の角形二次電池においては、前記袋状セパレータの接合されていない辺において、前記袋状セパレータの内部に配置される電極板の端部から突出する前記袋状セパレータの幅が、前記袋状セパレータの接合されていない辺と垂直な方向の長さの３％以上長いことが好ましい。
【００２４】
これにより、電池の異常発熱時のセパレータの熱収縮による正極板と負極板の短絡がより確実に防止できる。
【００２５】
本発明の角形二次電池においては、前記正極板が、前記袋状セパレータの内部に配置されることが好ましい。
【００２６】
充放電を円滑に行うためには、負極板の面積を正極板の面積よりも大きくすることが好ましい。したがって、袋状セパレータの内部に正極板を配置し、袋状セパレータの外寸と負極板の外寸とを同じサイズとし、この袋状セパレータと負極板を交互に積層し積層型電極体を作製することにより、充放電を円滑に行え、且つ体積エネルギー密度の高い角形二次電池を得ることができる。
【図面の簡単な説明】
【００２７】
【図１】本発明の角型リチウムイオン電池の斜視図である。
【図２】本発明の角形リチウムイオン電池に用いる積層型電極体の斜視図である。
【図３】図３Ａは、本発明の角型リチウムイオン電池に用いる正極板の平面図であり、図３Ｂは、本発明の角型リチウムイオン電池に用いる負極板の平面図である。
【図４】本発明の角形リチウムイオン電池に用いる内部に正極板を配置した袋状セパレータの平面透視図である。
【図５】本発明の角形リチウムイオン電池に用いる内部に正極板を配置した袋状セパレータの変形例の平面透視図である。
【図６】本発明の角形リチウムイオン電池に用いる積層型電極体の製造方法を示す図である。
【図７】従来技術における袋状セパレータを示す図である。
【図８】従来技術における袋状セパレータを示す図である。
【図９】従来技術における袋状セパレータを示す図である。
【発明を実施するための形態】
【００２８】
以下、本発明に係る角型二次電池としての角型リチウムイオン電池を、図１〜図６に基づいて説明する。尚、本発明における角型二次電池は、下記の形態に示したものに限定されず、その要旨を変更しない範囲において適宜変更して実施できるものである。
【００２９】
最初に、本発明の角形リチウムイオン電池２０を図１を用いて説明する。図１に示すように、本発明の角型リチウムイオン電池２０は、ラミネート外装体１の内部に積層型電極体１０を電解液とともに収容し、ラミネート外装体１の溶着封止部１’から、正極集電タブ４及び負極集電タブ５にそれぞれ接続された正極端子６及び負極端子７が突出している。ラミネート外装体１の溶着封止部１’において、正極端子６及び負極端子７とラミネート外装体１の間には、それぞれ正極タブ樹脂８、負極タブ樹脂９が配置されている。
【００３０】
次に、本発明の角形リチウムイオン電池２０に用いられる積層型電極体１０について図２〜６を用いて説明する。ラミネート外装体１の内部に収容される積層型電極体１０は、図２に示すように、正極板２が内部に配置された袋状セパレータ１３と負極板３が交互に積層され、最外側両面に負極板３が配置されている。そして、その外側両面には、さらに絶縁シート１２が配置され、絶縁テープ１１により固定されている。
【００３１】
正極板２は図３Ａに示すように、正極集電体の両面に正極活物質層が形成されており、一方の端部からは正極活物質が形成されていない正極集電体が正極集電タブ４として突出している。負極板３は図３Ｂに示すように、負極集電体の両面に負極活物質層が形成されており、一方の端部からは負極活物質が形成されていない負極集電体が負極集電タブ５として突出している。
【００３２】
本発明において、正極集電タブ４及び負極集電タブ５として、上記のとおり正極板２及び負極板３の電極集電体の一部をそのまま用いてもよい。また、正極板２及び負極板３にそれぞれ集電タブを接続してもよい。
【００３３】
正極板２が内部に配置された袋状セパレータ１３は、図４に示すように、正極板２の両面にそれぞれシート状のセパレータが配置され、重ね合わされたセパレータの周縁の３辺が熱溶着により接合されている。このセパレータの熱溶着された部分には、溶着部１４が形成される。重ね合わされたセパレータの接合されていない辺からは、正極集電タブ４が突出している。
【００３４】
本発明では、図５に示すように、袋状セパレータ１３において、接合されていない辺を正極集電タブ４が突出する辺と異なる方向とすることもできる。この場合、袋状セパレータ１３の接合されていない辺において正極板２の端部から突出する袋状セパレータ１３の幅Ｌ１７を、袋状セパレータ１３の接合されている辺において正極板２の端部から突出する袋状セパレータ１３の幅Ｌ１８、１９、２０よりも大きく設定する。しかしながら、電池の体積エネルギー密度を考慮した場合、袋状セパレータ１３において、接合されていない辺を正極集電タブ４が突出する辺とすることが好ましい。
【００３５】
袋状セパレータ１３の製造方法としては、１枚の方形状のセパレータを中央部で折り返し重ね合わせ、折り返された辺を除く周縁の２辺を接合して袋状にすることもできる。この場合、折り返された辺（折り返し部）は、本発明における接合されていない辺には含まれないものとする。
【００３６】
本発明においては、ポリオレフィン製セパレータを用いることが好ましい。ポリオレフィン製セパレータとしては、ポリプロピレン（ＰＰ）、あるいはポリエチレン（ＰＥ）等からなるものが好ましい。また、ポリプロピレン（ＰＰ）層及びポリエチレン（ＰＥ）層からなる複数層のセパレータを用いてもよい。
【００３７】
本発明では、セパレータの接合されている辺において、全領域に亘って接合されている必要はない。図４に示すように、袋状セパレータ１３の角部領域には、溶着部１４を設けなくてもよい。また、溶着部１４を間歇的に設けてもよい。
【００３８】
本発明では、セパレータの接合方法は特に限定されず、熱溶着や接着剤を用いて接合することができる。
【００３９】
積層型電極体１０の製造方法を図６を用いて説明する。正極板２が内部に配置された袋状セパレータ１３と負極板３を交互に積層する。このとき正極集電タブ４及び負極集電タブ５が同じ方向に突出し、正極集電タブ４及び負極集電タブ５がそれぞれ積層されるようにする。積層型電極体１０の積層方向の最外側には負極板３を配置し、さらにその両面に絶縁シート１２を配置し、絶縁テープ１１により積層型電極体１０を固定する。
【００４０】
積層された正極集電タブ４及び負極集電タブ５は、それぞれ正極端子６及び負極端子７に超音波溶接により接続される。
【００４１】
この積層型電極体１０が、積層型電極体１０を収納できるようにカップ成形されたラミネートフィルムとシート状のラミネートフィルムの間に挿入され、正極集電タブ４及び負極集電タブ５がラミネート外装体１の溶着封止部１’から突出するように周囲３辺を熱溶着する。その後、ラミネート外装体１における熱溶着されていない開口部から非水電解液を注液した後、ラミネート外装体１の開口部を溶着することにより角形リチウムイオン電池２０を作製する。
【００４２】
次に、本発明の角形リチウムイオン電池の製造方法を実施例１を用いて説明する。
〔実施例１〕
〔正極板の作製〕
正極活物質としてのＬｉＣｏＯ２を９０質量％と、導電剤としてのカーボンブラックを５質量％と、結着剤としてのポリフッ化ビニリデンを５質量％と、溶剤としてのＮ−メチル−２−ピロリドン（ＮＭＰ）溶液とを混合して正極用スラリーを調製した。次に、この正極用スラリーを、正極集電体としてのアルミニウム箔（厚み:１５μｍ）の両面に塗布した。その後、溶剤を乾燥し、ローラーで厚みが０．１ｍｍにまで圧縮した後、幅（Ｌ１）＝８５ｍｍ及び高さ（Ｌ２）＝８５ｍｍとなり、且つ正極板２の一辺から正極活物質層が形成されていないアルミニウム箔（幅Ｌ３＝３０ｍｍ、高さＬ４＝２０ｍｍ）が正極集電タブ４として突出するように切断して正極板２を作製した（図３Ａ参照）。
【００４３】
〔負極板の作製〕
負極活物質としての黒鉛粉末を９５質量％と、結着剤としてのポリフッ化ビニリデンを５質量％と、溶剤としてのＮＭＰ溶液とを混合して負極用スラリーを調製した後、この負極用スラリーを負極集電体としての銅箔（厚み：１０μｍ）の両面に塗布した。その後、溶剤を乾燥し、ローラーで厚みが０．０８ｍｍになるまで圧縮した後、幅（Ｌ５）＝９０ｍｍ及び高さ（Ｌ６）＝９０ｍｍとなり、且つ負極板３の一辺から負極活物質層が形成されていない銅箔（幅Ｌ７＝３０ｍｍ、高さＬ８＝２０ｍｍ）が負極集電タブ５として突出するように切断して負極板３を作製した（図３Ｂ参照）。
【００４４】
〔正極板が内部に配置された袋状セパレータの作製〕
上記の方法で作製した正極板２の両側に、方形状のポリプロピレン（ＰＰ）製のセパレータ（幅Ｌ９＝９０ｍｍ、高さＬ１０＝９４ｍｍ、厚み３０μｍ）を配置する。そして、正極板２において正極集電タブ４が突出していない周縁の３辺についてセパレータを熱溶着し、内部に正極板２が配置された袋状セパレータ１３を作製した（図４）。
【００４５】
ここで、セパレータの熱溶着された辺において、正極板２の端部から突出するセパレータの幅（Ｌ１２、Ｌ１３、Ｌ１４）を、２．５ｍｍとした。また、正極集電タブ４が突出する辺（熱溶着されていない辺）における正極板２の端部から突出するセパレータの幅（Ｌ１１）を、６．５ｍｍとした。
【００４６】
ここで、正極集電タブ４が突出する方向（袋状セパレータ１３における接合されていない辺に垂直な方向）におけるセパレータの熱収縮率を４％、正極集電タブ４が突出する方向と垂直な方向（袋状セパレータ１３における接合されていない辺に平行な方向）におけるセパレータの熱収縮率を２％とした。
【００４７】
上記熱収縮率は、セパレータをフリーな状態で、１００℃で２．５時間加熱保存した場合の熱収縮率であり、加熱保存前のセパレータの長さ及び加熱保存後のセパレータの長さから次式により決定した。
熱収縮率＝[（加熱保存前のセパレータの長さ−加熱保存後のセパレータの長さ）/加熱保存前のセパレータの長さ]×１００
【００４８】
〔電池の作製〕
上記の方法で作製した３６枚の負極板３と、３５枚の内部に正極板２が配置された袋状セパレータ１３とを交互に積層して積層型電極体１０を作製した。尚、この積層型電極体１０における積層方向の最外側には負極板３を配置し、更にその両側にポリプロピレン（ＰＰ）製の絶縁シート１２を配置して絶縁テープ１１で固定した。積層型電極体１０の一方の端部からは、各正極板２に接続された正極集電タブ４が積層された状態で突出しており、また、各負極板３に接続された負極集電タブ５が積層された状態で突出している。
【００４９】
その後、積層型電極体１０の一方の端部から突出する積層された正極集電タブ４にアルミニウム製の正極端子６（厚さ０．４ｍｍ）を超音波溶接により接続した。また、積層型電極体１０の一方の端部から突出する積層された負極集タブ５に銅製の負極端子７（厚さ０．４ｍｍ）を超音波溶接により接続した。ここで、正極端子６及び負極端子７において、ラミネート外装体１と対向する部分には、それぞれ正極タブ樹脂８及び負極タブ樹脂９が接着されている。正極タブ樹脂８及び負極タブ樹脂９は、ポリエチレンナフタレート（厚さ１２μｍ）の両面に酸変性ポリプロピレン（厚さ３０μｍ）が配置された３層構造のフィルムを使用した。
【００５０】
次に、積層型電極体１０を収納できるようにカップ成形されたラミネートフィルムとシート状のラミネートフィルムの間に積層型電極体１０を挿入し、正極端子６及び負極端子７がラミネート外装体１から突出するように周囲３辺を熱溶着した。
【００５１】
ラミネート外装体１における熱溶着されていない辺から非水電解液を注液した後、ラミネート外装体１の開口部を熱溶着することにより角形リチウムイオン二次電池２０を作製した。尚、上記非水電解液としては、エチレンカーボネート（ＥＣ）とメチルエチルカーボネート（ＭＥＣ）とが体積比で３０：７０の割合で混合された混合溶媒に、ＬｉＰＦ６が１Ｍ（モル／リットル）の割合で溶解されたものを使用した。
【００５２】
＜安全性の評価＞
安全性の評価として、実施例１の角形リチウムイオン電池２０について次の試験を行った。まず、実施例１の角形リチウムイオン電池２０をＩＣ相当(８Ａ)の電流で４．２Ｖの定電流定電圧充電を行った。その後、釘（φ５ｍｍ）を釘刺し速度１０ｍｍ／ｓｅｃで電池の中央部を貫通させた。その結果、実施例１の角形リチウムイオン電池２０では、発熱が見られたものの発火や暴発等は生じなかった。
【００５３】
したがって、実施例１の角形リチウムイオン電池２０では、電池に異常発熱が生じた場合でも、セパレータの破断や熱収縮による正負極板の短絡が防止でき、電池の発火や暴発等を防止できる。
【００５４】
以上のように、本発明の角形二次電池では、異常発熱が生じた場合であっても、セパレータの熱収縮、あるいはセパレータの破断による正極板と負極板の短絡が防止される。
【符号の説明】
【００５５】
１・・・ラミネート外装体、１’・・・溶着封止部、２・・・正極板、３・・・負極板、４・・・正極集電タブ、５・・・負極集電タブ、６・・・正極端子、７・・・負極端子、８・・・正極タブ樹脂、９・・・負極タブ樹脂、１０・・・積層型電極体、１１・・・絶縁テープ、１２・・・絶縁シート、１３・・・袋状セパレータ、１４・・・溶着部  ２０・・・角形リチウムイオン電池
【図１】
2012033399.tif 000003
【図２】
2012033399.tif 000004
【図３】
2012033399.tif 000005
【図４】
2012033399.tif 000006
【図５】
2012033399.tif 000007
【図６】
2012033399.tif 000008
【図７】
2012033399.tif 000009
【図８】
2012033399.tif 000010
【図９】
2012033399.tif 000011